【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
流体システムにおける使用のためのモジュール式センサであって、前記モジュール式センサは、
センサと、
前記センサおよび前記センサに結合されている電子回路を封入するキャップであって、前記キャップは、前記センサからの信号を提供するために、少なくとも１つの出力ワイヤを受け取るように適合された陥凹長方形面積を含む、キャップと、
前記キャップに取り付けられている基部と
を備え、
前記基部は、入力ポートおよび出力ポートを有し、それらの各々は、それに管類を接続されるように適合されており、前記基部は、流体が前記入力ポートから前記センサの少なくとも一部を通り過ぎて前記基部の出力ポートに流動することを可能にするように適合されている第１の通路をさらに備え、前記基部は、分析器具システムにおいて除去可能に取り付けられるように適合されている、モジュール式センサ。
【請求項２】
前記センサは、流体流動、圧力、温度、ｐＨ、光学、微小電気機械システムセンサ、湿度、位置、運動、またはバイオセンサセンサのうちの少なくとも１つ以上のものを備えている、請求項１に記載のモジュール式センサ。
【請求項３】
前記センサは、印刷回路基板を備えている、請求項２に記載のモジュール式センサ。
【請求項４】
前記基部は、生体適合性材料を備えている、請求項１に記載のモジュール式センサ。
【請求項５】
前記基部は、ポリエーテルエーテルケトンを備えている、請求項４に記載のモジュール式センサ。
【請求項６】
前記基部は、複数の孔をさらに備え、前記複数の孔は、複数のねじを用いて前記基部を前記キャップに取り付けるためのねじを受け取るように適合されている、請求項１に記載のモジュール式センサ。
【請求項７】
前記キャップと前記基部とは、スナップ嵌め機構を用いて互いに除去可能に取り付くように適合されている、請求項１に記載のモジュール式センサ。
【請求項８】
前記キャップと前記基部とは、接着剤によって互いに取り付けられる、請求項１に記載のモジュール式センサ。
【請求項９】
前記キャップと前記基部とは、ポリマーによって互いに取り付けられる、請求項１に記載のモジュール式センサ。
【請求項１０】
前記キャップと前記基部とは、超音波溶接によって互いに取り付けられる、請求項１に記載のモジュール式センサ。
【請求項１１】
前記基部は、少なくとも前記入力ポートを入力ポートとして識別する印刷またはグラフィックのいずれかをさらに備えている、請求項１に記載のモジュール式センサ。
【請求項１２】
前記センサは、プラグ接続で前記少なくとも１つの出力ワイヤに電気的に結合され、前記ワイヤは、前記キャップの一部の外側に延びている、請求項１に記載のモジュール式センサ。
【請求項１３】
前記基部の前記入力ポートおよび出力ポートと、前記基部内の第１および第２の通路と、前記キャップの入力および出力ポートおよびそれらを通る通路とは、凸状の流体流路を画定する、請求項１に記載のモジュール式センサ。
【請求項１４】
前記基部の前記入力ポートと出力ポートとの間の前記通路は、略直線である、請求項１に記載のモジュール式センサ。
【請求項１５】
前記基部の前記入力ポートと出力ポートとの間の前記通路は、蛇行経路を画定する、請求項１に記載のモジュール式センサ。
【請求項１６】
前記キャップの少なくとも一部は、前記センサの周辺縁の少なくとも一部を封入するようにオーバーモールドされている、請求項１に記載のモジュール式センサ。
【請求項１７】
前記キャップの少なくとも一部は、前記センサの周辺の実質的に全てを封入するようにオーバーモールドされている、請求項１に記載のモジュール式センサ。
【請求項１８】
前記キャップの少なくとも一部は、３Ｄ印刷によって形成され、前記センサの縁の少なくとも一部を封入する、請求項１に記載のモジュール式センサ。
【請求項１９】
ポカヨケ特徴をさらに備えている、請求項１に記載のモジュール式センサ。
【請求項２０】
前記ポカヨケ特徴は、前記基部からの方向づけ突起を備え、前記方向づけは、アダプタ、マニホールド、または他の構成要素に１つのみの所望の構成で嵌まるように適合されている、請求項１９に記載のモジュール式センサ。
【請求項２１】
前記ポカヨケ特徴は、前記基部からの方向づけ突起を備え、前記方向づけ突起は、１つのみの所望の構成で別の構成要素に嵌まり、それによって、前記基部内の流体流路を前記構成要素内の流体流路と整列させるように適合されている、請求項１に記載のモジュール式センサ。
【請求項２２】
アダプタをさらに備え、前記アダプタは、第１の通路および第１の出力ポートと連通している第１の入力ポートと、第２の通路および第２の出力ポートと連通している第２の入力ポートとを有し、前記アダプタは、前記アダプタが前記基部に取り付けられると、前記アダプタの前記第１の出力ポートが前記基部の前記入力ポートと連通し、前記基部の前記出力ポートが前記アダプタの前記第２の入力ポートと連通するように適合されている、請求項１に記載のモジュール式センサ。
【請求項２３】
生体適合性センサモジュールであって、前記生体適合性センサモジュールは、
第１のセンサであって、前記第１のセンサは、それに電子回路が結合されており、前記センサは、状態を感知し、その出力信号を提供するように適合され、周辺を有する、第１のセンサと、
第２のセンサと、
前記第１のセンサおよび前記第２のセンサと、前記第１のセンサおよび前記第２のセンサに結合されている電子回路を覆う生体適合性キャップと、
前記キャップに取り付けられている生体適合性基部と
を備え、
前記基部は、入力ポートおよび出力ポートを有し、それらの各々は、それに管類を除去可能に接続されるように適合され、前記基部は、流体が前記基部の前記入力ポートから前記第１のセンサの一部に、次いで、前記基部の前記出力ポートに流動することを可能にするように適合されている第１の通路をさらに備え、前記キャップの少なくとも一部は、前記第１のセンサの周辺部分の近位にある前記第１のセンサおよび前記第２のセンサの少なくとも一部を封入し、前記基部は、システムの流体路において除去可能に取り付けられるように適合されている、生体適合性センサモジュール。
【請求項２４】
前記第２のセンサは、流動センサであり、前記第１のセンサは、圧力センサである、請求項２３に記載の生体適合性センサモジュール。
【請求項２５】
前記第１のセンサは、第１の状態に対応する出力信号を提供するように適合され、前記第２のセンサは、第２の状態に対応する出力信号を提供するように適合されている、請求項２３に記載の生体適合性センサモジュール。
【手続補正２】
【補正対象書類名】明細書
【補正対象項目名】００２５
【補正方法】変更
【補正の内容】
【００２５】
本開示のさらに別の実施形態では、流体システム内の情報を得る方法が、提供され、そのような方法は、第１のモジュール式センサを提供するステップであって、第１のモジュール式センサは、それに結合されている電子回路を有し、第１の状態を感知するように適合され、それに対応する出力信号を提供する、第１のセンサと、該第１のセンサの少なくとも一部および該第１のセンサに結合されている電子回路を覆う第１のキャップと、該第１のキャップに取り付けられている第１の基部であって、該第１の基部は、入力ポートおよび出力ポートを有し、それらの各々は、流体システム内の構成要素に除去可能に接続されるように適合され、該第１の基部はさらに、流体が、該第１の基部の入力ポートから、該第１のセンサの少なくとも一部を通り過ぎ、次いで、該第１の基部の出力ポートに流動することを可能にするように適合されている第１の通路を備え、該第１の基部の少なくとも一部は、該第１のセンサの周辺部分の近位にある該第１のセンサの少なくとも一部を覆い、該第１の基部は、流体システムの流体路において除去可能に取り付けられる、第１の基部とを備えている、ステップと、第２のモジュール式センサを提供するステップであって、第２のモジュール式センサは、それに結合されている電子回路を有し、第２の状態を感知するように適合され、それに対応する、出力信号を提供し、周辺を有する、第２のセンサと、該第２のセンサおよび該第２のセンサに結合されている電子回路を覆う第２のキャップと、該第２のキャップに取り付けられている第２の基部であって、該第２の基部は、入力ポートおよび出力ポートを有し、それらの各々は、流体システム内の構成要素に除去可能に接続されるように適合され、該第２の基部はさらに、流体が、該第２の基部の入力ポートから、該第２のセンサの少なくとも一部を通り過ぎ、次いで、該第２の基部の出力ポートに流動することを可能にするように適合されている第１の通路を備え、該第２の基部の少なくとも一部は、該第２のセンサの周辺部分の近位にある該第２のセンサの少なくとも一部を封入し、該第２の基部は、流体システムの流体路において除去可能に取り付けられ、該第１のモジュール式センサを流体システムの流体路から接続解除し、該第２のモジュール式センサを流体システムの流体路に接続するように適合される、第２の基部とを備えている、ステップとを含む。そのような方法では、第１の状態および第２の状態は、同一であり得る、または異なってもよく、第１の状態および／または第２の状態は、流量、ｐＨ、温度、圧力、湿度、１つ以上の泡、もしくは伝導性のうちの任意の１つ以上のものを備え得る。いくつかの方法では、第２のモジュール式センサは、該第１のモジュール式センサの代わりに、流体システムの流体路に接続される一方、他の方法では、第２のモジュール式センサは、流体システムから接続解除される前に、第１のモジュール式センサの場所と異なる、流体システムの流体路内の第２の場所に接続される。本方法はまた、代替として、次いで、第１のモジュール式センサを流体システム内の流体経路内の第２の異なる場所に、または第２の流体システム内の流体経路内のある場所に接続するさらなるステップを含む。本方法はまた、信号を該第１のモジュール式センサから得て、信号をコンピュータ可読メモリに伝送し、信号をその中に記憶し、信号を該第２のモジュール式センサから得て、それをコンピュータ可読メモリに伝送し、それをその中に記憶する、追加のステップを含み得る。本方法はまた、アダプタを提供し、第１または第２のモジュール式センサのいずれかを流体システムの流体経路に接続する前に、該アダプタを第１または第２のモジュール式センサのいずれかの基部に除去可能に取り付ける、さらなる追加のステップを含み得る。さらに、第２のモジュール式センサの接続は、第１のモジュール式センサをシステムに接続するために使用されたものと同一管類および／または構成要素を用いて行われ得る。
本発明は、例えば、以下を提供する。
（項目１）
流体システムにおける使用のためのモジュール式センサであって、前記モジュール式センサは、
センサと、
前記センサおよび前記センサに結合されている電子回路を封入するキャップと、
前記キャップに取り付けられている基部と
を備え、
前記基部は、入力ポートおよび出力ポートを有し、それらの各々は、それに管類を接続されるように適合されており、前記基部は、流体が前記入力ポートから前記センサの少なくとも一部を通り過ぎて前記基部の出力ポートに流動することを可能にするように適合されている第１の通路をさらに備え、前記基部は、分析器具システムにおいて除去可能に取り付けられるように適合されている、モジュール式センサ。
（項目２）
前記センサは、流体流動、圧力、温度、ｐＨ、光学、微小電気機械システムセンサ、湿度、位置、運動、またはバイオセンサセンサのうちの少なくとも１つ以上のものを備えている、項目１に記載のモジュール式センサ。
（項目３）
前記基部は、生体適合性材料を備えている、項目１に記載のモジュール式センサ。
（項目４）
前記基部は、ポリエーテルエーテルケトンを備えている、項目３に記載のモジュール式センサ。
（項目５）
前記基部は、複数の孔をさらに備え、前記複数の孔は、複数のねじを用いて前記基部を前記キャップに取り付けるためのねじを受け取るように適合されている、項目１に記載のモジュール式センサ。
（項目６）
前記キャップと前記基部とは、スナップ嵌め機構を用いて互いに除去可能に取り付けられるように適合されている、項目１に記載のモジュール式センサ。
（項目７）
前記キャップと前記基部とは、接着剤によって互いに取り付けられる、項目１に記載のモジュール式センサ。
（項目８）
前記キャップと前記基部とは、ポリマーによって互いに取り付けられる、項目１に記載のモジュール式センサ。
（項目９）
前記キャップと前記基部とは、超音波溶接によって互いに取り付けられる、項目１に記載のモジュール式センサ。
（項目１０）
前記基部は、少なくとも前記入力ポートを入力ポートとして識別する印刷またはグラフィックのいずれかをさらに備えている、項目１に記載のモジュール式センサ。
（項目１１）
前記センサは、前記センサからの信号を提供するための少なくとも１つの出力ワイヤをさらに備え、前記ワイヤは、前記キャップの一部の外側に延びている、項目１に記載のモジュール式センサ。
（項目１２）
前記基部の前記入力ポートおよび出力ポートと、前記基部内の第１および第２の通路と、前記キャップの入力および出力ポートおよびそれらを通る通路とは、凸状の流体流路を画定する、項目１に記載のモジュール式センサ。
（項目１３）
前記基部の前記入力ポートと出力ポートとの間の前記通路は、略直線である、項目１に記載のモジュール式センサ。
（項目１４）
前記基部の前記入力ポートと出力ポートとの間の前記通路は、蛇行経路を画定する、項目１に記載のモジュール式センサ。
（項目１５）
前記キャップの少なくとも一部は、前記センサの周辺縁の少なくとも一部を封入するようにオーバーモールドされている、項目１に記載のモジュール式センサ。
（項目１６）
前記キャップの少なくとも一部は、前記センサの周辺の実質的に全てを封入するようにオーバーモールドされている、項目１に記載のモジュール式センサ。
（項目１７）
前記キャップの少なくとも一部は、３Ｄ印刷によって形成され、前記センサの縁の少なくとも一部を封入する、項目１に記載のモジュール式センサ。
（項目１８）
前記センサは、印刷回路基板を備えている、項目２に記載のモジュール式センサ。
（項目１９）
生体適合性センサモジュールであって、前記生体適合性センサモジュールは、
センサであって、前記センサは、それに結合されている電子回路を有し、前記センサは、状態を感知し、その出力信号を提供するように適合され、周辺を有する、センサと、
前記センサおよび前記センサに結合されている電子回路を覆う生体適合性キャップと、
前記キャップに取り付けられている生体適合性基部と
を備え、
前記基部は、入力ポートおよび出力ポートを有し、それらの各々は、それに管類を除去可能に接続されるように適合され、前記基部は、流体が前記基部の前記入力ポートから前記センサの一部に、次いで、前記基部の前記出力ポートに流動することを可能にするように適合されている第１の通路をさらに備え、前記キャップの少なくとも一部は、前記センサの周辺部分の近位にある前記センサの少なくとも一部を封入し、前記基部は、システムの流体路において除去可能に取り付けられるように適合されている、生体適合性センサモジュール。
（項目２０）
第２のセンサをさらに備え、前記第２のセンサは、前記キャップによって覆われ、前記第２のセンサの少なくとも一部は、少なくとも部分的に前記基部の一部によって封入されている、項目１９に記載の生体適合性センサモジュール。
（項目２１）
前記第２のセンサは、流動センサであり、前記センサは、圧力センサである、項目２０に記載の生体適合性センサモジュール。
（項目２２）
前記センサは、第１の状態に対応する出力信号を提供するように適合され、前記第２のセンサは、第２の状態に対応する出力信号を提供するように適合されている、項目２０に記載の生体適合性センサモジュール。
（項目２３）
流体システムであって、前記流体システムは、
第１のモジュール式センサであって、前記第１のモジュール式センサは、
第１のセンサであって、前記第１のセンサは、それに結合されている電子回路を有し、前記第１のセンサは、第１の状態を感知し、その出力信号を提供するように適合され、周辺を有する、第１のセンサと、
前記第１のセンサの少なくとも一部および前記第１のセンサに結合されている電子回路を覆う第１のキャップと、
前記第１のキャップに取り付けられている第１の基部と
を備え、前記第１の基部は、入力ポートおよび出力ポートを有し、それらの各々は、それに管類を除去可能に接続されるように適合され、前記第１の基部は、流体が前記第１の基部の前記入力ポートから前記第１のセンサの少なくとも一部を通り過ぎ、次いで、前記第１の基部の前記出力ポートに流動することを可能にするように適合されている第１の通路をさらに備え、前記第１の基部の少なくとも一部は、前記第１のセンサの周辺部分の近位にある前記第１のセンサの少なくとも一部を覆い、前記第１の基部は、システムの流体路において除去可能に取り付けられるように適合されている、
第１のモジュール式センサと、
第２のモジュール式センサであって、前記第２のモジュール式センサは、
第２のセンサであって、前記第２のセンサは、それに結合されている電子回路を有し、前記第２のセンサは、第２の状態を感知し、その出力信号を提供するように適合され、周辺を有する、第２のセンサと、
前記第２のセンサおよび前記第２のセンサに結合されている電子回路を覆う第２のキャップと、
前記第２のキャップに取り付けられている第２の基部と
を備え、前記第２の基部は、入力ポートおよび出力ポートを有し、それらの各々は、それに管類を除去可能に接続されるように適合され、前記第２の基部は、流体が前記第２の基部の前記入力ポートから前記第２のセンサの少なくとも一部を通り過ぎ、次いで、前記第２の基部の前記出力ポートに流動することを可能にするように適合されている第１の通路をさらに備え、前記第２の基部の少なくとも一部は、前記第２のセンサの周辺部分の近位にある前記第２のセンサの少なくとも一部を封入し、前記第２の基部は、システムの流体路において除去可能に取り付けられるように適合されている、
第２のモジュール式センサと
を備え、
前記第１のモジュール式センサおよび前記第２のモジュール式センサは、前記第１のモジュール式センサと前記第２のモジュール式センサとが流体システムにおいて互いに代り合って接続されることができるように適合されている、流体システム。
（項目２４）
前記第１の状態は、流量、ｐＨ、温度、圧力、湿度、１つ以上の泡、または伝導性のうちの任意の１つ以上のものを備えている、項目２３に記載の流体システム。
（項目２５）
前記第２の状態は、流量、ｐＨ、温度、圧力、湿度、１つ以上の泡、または伝導性のうちの任意の１つ以上のものを備えている、項目２３に記載の流体システム。
（項目２６）
前記第１のモジュール式センサと前記第２のモジュール式センサとは、前記流体システム内の実質的に同一場所において互いに代り合って接続されるように適合されている、項目２３に記載の流体システム。
（項目２７）
前記第１のモジュール式センサと前記第２のモジュール式センサとは、前記流体システム内の同一の２つの構成要素間において互いに代り合って接続されるように適合されている、項目２３に記載の流体システム。
（項目２８）
前記第１のモジュール式センサと前記第２のモジュール式センサとは、前記流体システム内の同一構成要素に対して互いに代り合って接続されるように適合されている、項目２３に記載の流体システム。
（項目２９）
前記第１のモジュール式センサおよび前記第２のモジュール式センサのうちの少なくとも１つは、死容積を前記流体システムに追加しない、項目２３に記載の流体システム。
（項目３０）
ポカヨケ特徴をさらに備えている、項目１に記載のモジュール式センサ。
（項目３１）
前記ポカヨケ特徴は、前記基部からの方向づけ突起を備え、前記方向づけは、アダプタ、マニホールド、または他の構成要素に１つのみの所望の構成で嵌まるように適合されている、項目３０に記載のモジュール式センサ。
（項目３２）
前記ポカヨケ特徴は、前記基部からの方向づけ突起を備え、前記方向づけ突起は、１つのみの所望の構成で別の構成要素に嵌まり、それによって、前記基部内の流体流路を前記構成要素内の流体流路と整列させるように適合されている、項目１に記載のモジュール式センサ。
（項目３３）
アダプタをさらに備え、前記アダプタは、第１の通路および第１の出力ポートと連通している第１の入力ポートと、第２の通路および第２の出力ポートと連通している第２の入力ポートとを有し、前記アダプタは、前記アダプタが前記基部に取り付けられると、前記アダプタの前記第１の出力ポートが前記基部の前記入力ポートと連通し、前記基部の前記出力ポートが前記アダプタの前記第２の入力ポートと連通するように適合されている、項目１に記載のモジュール式センサ。